(57)【要約】【課題】２線のリモコン用コードがリモコン接続端子部等で短絡されたり、リモコン側の回路故障で給電手段等の周辺部品が過電流で故障したり、給電側の許容電流容量アップにより、リモコン回路が故障しても電力が供給され続けリモコンの発火・発熱につながる懸念がでてきた。【解決手段】２線で接続されるリモコン１と、リモコン接続端子２と、リモコン接続端子を介してリモコンへの電源供給を行う給電手段３と、リモコン接続端子と給電手段の間に介在しリモコンに対してシリアル信号を送出する送受信手段４と、リモコン接続端子の端子電流を検知する電流検知手段６と、所定電流以上を検知すると給電手段を停止させる給電制御手段７を備え、電流検知手段が所定電流以上を検知すると、給電制御手段が記給電手段を停止させるので部品故障にならず、リモコンの発煙・発火を起こす前に停止できる。【選択図】図１
2009109166.tif 000002
【特許請求の範囲】
【請求項１】
２線で接続されるリモコンと、前記リモコンを２線で接続するためのリモコン接続端子と、前記リモコン接続端子を介して前記リモコンへの電源供給を行う給電手段と、前記リモコン接続端子と前記給電手段の間に介在し前記リモコンに対してシリアル信号を送出する送受信手段と、前記リモコン接続端子の端子電流を検知する電流検知手段と、前記電流検知手段が所定電流以上を検知すると、前記給電手段を停止させる給電制御手段を備えた給湯機のリモコン制御装置。
【請求項２】
前記給電制御手段は、停止後所定時間経過で前記給電手段を復帰させる請求項１記載の給湯機のリモコン制御装置。
【請求項３】
前記給電制御手段は、前記給電手段を復帰させた回数が所定回数となった場合復帰させない請求項２記載の給湯機のリモコン制御装置。
【発明の詳細な説明】
【技術分野】
【０００１】
本発明は、２線で接続される給湯機のリモコン制御装置に関するものである。
【背景技術】
【０００２】
従来より、給湯機等の機器では、リモコンと給湯機本体とを２線を用いて接続し、双方向のデータ通信と本体側からリモコン側への電力供給とを同時に行う双方向２線式遠隔制御方式を採用している（例えば、特許文献１参照）。
【０００３】
さらに近年では、リモコンの視認性向上で表示を明るくしたり、接続されるリモコンの数も複数となり、リモコン１台あたりの電力増加と、本体側から供給する電力が増加している。
【特許文献１】特開平１０−８４５９０号公報
【発明の開示】
【発明が解決しようとする課題】
【０００４】
しかしながら、設置工事の際に工事ミス等で２線のリモコン用コードがリモコン接続端子部等で短絡されたり、リモコン側の回路故障で、給電手段等の周辺部品が過電流で故障したり、給電側の許容電流容量アップにより、リモコン回路が故障しても電力が供給され続けリモコンの発火・発熱につながる懸念がでてきた。
【０００５】
本発明は上記課題を解消し、リモコン接続端子間が短絡状態になっても部品故障が無く、リモコンの回路故障があっても発火・発煙を起こさない、給湯機のリモコン制御回路を提供することを目的とする。
【課題を解決するための手段】
【０００６】
この目的を達成するため本発明は、２線で接続されるリモコンと、前記リモコンを２線で接続するためのリモコン接続端子と、前記リモコン接続端子を介して前記リモコンへの電源供給を行う給電手段と、前記リモコン接続端子と前記給電手段の間に介在し前記リモコンに対してシリアル信号を送出する送受信手段と、前記リモコン接続端子の端子電流を検知する電流検知手段と、前記電流検知手段が所定電流以上を検知すると、前記給電手段を停止させる給電制御手段を備えたものである。
【発明の効果】
【０００７】
本発明は、リモコン接続端子間が短絡状態になっても部品故障が無く、リモコンの回路故障があっても発火・発煙を起こさない、給湯機のリモコン制御回路を提供することができる。
【発明を実施するための最良の形態】
【０００８】
第１の発明の給湯機のリモコン制御装置は、２線で接続されるリモコンと、前記リモコンを２線で接続するためのリモコン接続端子と、前記リモコン接続端子を介して前記リモコンへの電源供給を行う給電手段と、前記リモコン接続端子と前記給電手段の間に介在し前記リモコンに対してシリアル信号を送出する送受信手段と、前記リモコン接続端子の端子電流を検知する電流検知手段と、前記電流検知手段が所定電流以上を検知すると、前記給電手段を停止させる給電制御手段を備え、リモコン接続端子間が短絡状態になったり、リモコン回路の故障で過電流が流れても、前記電流検知手段が所定電流以上を検知して、前記給電制御手段が前記給電手段を停止させるので部品故障にはならず、リモコンの発煙・発火を起こす前に停止できる。
【０００９】
第２の発明の給湯機のリモコン制御装置は、前記給電制御手段が、停止後所定時間経過で前記給電手段を復帰させるので、リモコン接続端子間が設置工事中等で一時的な短絡があったり、前記電流検知手段が誤検知等で給電手段が停止されても前記給電制御手段が、所定時間後に給電手段を復帰させるので、異常が継続していなければ自動的に給電が復帰し使い勝手が改善される。
【００１０】
第３の発明の給湯機のリモコン制御装置は、前記給電制御手段が、前記給電手段を復帰させた回数が所定回数となった場合には復帰させないため、リモコン接続端子間の短絡が継続されたり、リモコン回路が故障した場合には、再度前記電流検知手段が所定電流以上の電流を検知するので停止、復帰を繰り返すこととなり所定回数以上になった場合には復帰させないので部品に継続的なストレスがかからない。
【００１１】
（実施の形態１）
図１は本実施の形態における給湯機のリモコン制御装置の回路ブロック図である。
１は２線で接続されるリモコン、２はリモコン１を２線で接続するためのリモコン接続端子、３はリモコンへの電源供給を行う給電手段、４はリモコンと双方向でシリアル信号を送受信する送受信手段、５は給電手段３を介してリモコンに電源を供給するための直流電源、６はリモコンに給電される電流を検知する電流検知手段、７は、電流検知手段６からの信号を受け給電手段３に停止及び復帰信号を送る給電制御手段である。また、図１において鎖線で示す部分は給湯機本体を示す。
【００１２】
次に、給電制御手段７の動作を説明する。図２は本発明の実施例の給湯機のリモコン制御装置の動作フローチャートである。
【００１３】
（ステップ１）給電手段３がＯＮかどうかの判定を行い、ＯＮあればステップ２へ進み、ＯＦＦであればステップ６へ進む。
【００１４】
（ステップ２）電流検出手段６が所定値未満かどうかの判定を行い、所定値未満であれば、ステップ３へ進み、所定値以上であればステップ５へ進む。
【００１５】
（ステップ３）復帰回数を初期化しステップ４へ進む。
【００１６】
（ステップ４）停止時間を初期化しステップ１へ戻る。
【００１７】
（ステップ５）給電手段３をＯＦＦしステップ４へ進む。
【００１８】
（ステップ６）停止時間が所定時間を越えているかどうかを判定し、所定時間を越えていればステップ７へ進み、所定時間以下であればステップ９へ進む。
【００１９】
（ステップ７）復帰回数が所定値未満かどうかを判定し、所定値未満であればステップ８へ進み、所定値以上であればステップ９へ進む。
【００２０】
（ステップ８）給電手段３をＯＮし、復帰回数を＋１してからステップ１へ戻る。
【００２１】
（ステップ９）停止時間をカウントアップしてからステップ１０へ進む。
【００２２】
（ステップ１０）給電手段３をＯＦＦし、停止時間をカウントアップしてからステップ１へ戻る。
【００２３】
正常時には、ステップ１→ステップ２→ステップ３→ステップ４のフローとなり、給電手段３はＯＮ状態となる。電流検出手段６で電流値が所定値以上となると、ステップ２→ステップ５となって給電手段３がＯＦＦする、さらにステップ４→ステップ１のフローとなり、ステップ１で給電手段３がＯＦＦのため、ステップ６→ステップ９→ステップ１０→ステップ１のフローとなり給電手段３のＯＦＦが継続する。
【００２４】
給電手段３の停止時間が所定時間を越えると、ステップ６→ステップ７→ステップ８と進み給電手段３はＯＮとなり復帰する。リモコン接続端子２の一時的なショートや、誤動作等の場合は次のフローでステップ１→ステップ２→ステップ３と進み正常動作に戻る。
【００２５】
リモコン接続端子２の継続的なショートや、リモコン１の回路故障等で過電流が流れ続けた場合には、再度ステップ１→ステップ２→ステップ５→ステップ４→ステップ１→ステップ６→ステップ９→ステップ１０のフローとなり給電手段３はＯＦＦとなる。何度か復帰・停止を繰り返し復帰回数が所定回数以上となるとステップ７→ステップ１０→ステップ１→ステップ６→ステップ７のフローを繰り返し以降は給電手段３は復帰しない。
【００２６】
以上のように、一時的なショートや誤動作では自動的に通電が復帰し、継続的なショートやリモコンの故障時には安全に電源を遮断できる。
【００２７】
なお、回路の発火・発煙が発生する可能性のある電力は一般的に１５Ｗ以上と言われており、例えば、電流の所定値は、電源が１２Ｖであれば１．２Ａ程度と決定することができる。停止時間は電源や遮断手段の回路部品の温度上昇を加味し決定するが例えば１０秒程度に設定すれば、すぐに復帰できる。例えば、継続的なショートや故障の判断を３０分とすると、復帰回数は１８０回程度にすればよい。
【産業上の利用可能性】
【００２８】
以上のように、本発明は給湯機に限らず、電力の供給と通信を行うリモコン制御装置に利用することができる。
【図面の簡単な説明】
【００２９】
【図１】実施の形態１における給湯機のリモコン制御装置の回路ブロック図
【図２】実施の形態１における給湯機のリモコン制御装置の動作フローチャート
【符号の説明】
【００３０】
１  リモコン
２  リモコン接続端子
３  給電手段
４  送受信手段
６  電流検知手段
７  給電制御手段
【図１】
2009109166.tif 000003
【図２】
2009109166.tif 000004